(57)【要約】      （修正有）【課題】プランジャに軸方向と異なる方向の力が作用した場合でも、ガスケットによる気密性、液密性を確保し得るとともに、プランジャとガスケットが外れにくく、組み立てが容易、組み立て時に液漏れのおそれがないプレフィルドシリンジの提供。【解決手段】プランジャ上４１、プランジャ下４２をかん合させるとき、プランジャ下４２に設けた凸部４２２をプランジャ上４１に設けた凹部４１２に挿入し、奥まで挿入し終えたらプランジャ下４２に設けた凸部４２２がプランジャ上４１に設けた凹部４１２の端部に位置するまでプランジャ下４２を回転させる。プランジャ上４１とプランジャ下４２の係合部に隙間を持たせ、遊嵌状態で連結されているため、プランジャ４に作用した力がガスケット３に直接伝達されることが防止され、それによるガスケット３の変形を防止することができる。【選択図】図１
2007044159.tif 000002
【特許請求の範囲】
【請求項１】
プランジャが２つの部品からなり、前記２部品の接合部には２部品のうちの１部品を回転させたとき、もう一方の部品も追随して回転する、回転追随機構が設けてあることを特徴とする、シリンジ。
【請求項２】
前記２部品の接合部には隙間があることを特徴とする、請求項１に記載のシリンジ。
【請求項３】
前記２部品には一方の部品に凹部、もう一方の部品に凸部を有し、それらがかん合することが前記回転追随機構となることを特徴とする、請求項１もしくは２に記載のシリンジ。
【請求項４】
前記外筒と前期ガスケットで囲まれる空間に、液体が収納されていることを特徴とする、請求項１から３のいずれかに記載のシリンジ。
【発明の詳細な説明】
【技術分野】
【０００１】
本発明は、シリンジ、特に、薬液等の液体を収納したシリンジに関する。
【背景技術】
【０００２】
予め薬液等を収納したプレフィルドシリンジが知られている。このプレフィルドシリンジは、外筒と、この外筒内に挿入されたガスケットと、このガスケットに連結されたプランジャ（押し子）とを備え、外筒とガスケットとで囲まれる空間に、薬液が収納されている。このようなプレフィルドシリンジでは、ガスケットとプランジャの連結は、通常、雌ネジと雄ネジによる螺合構造が採用されている。ここで、ガスケットとプランジャとが螺合により連結されていると、連結部位に遊びがないので、プランジャの動きが直接ガスケットに伝達されることになる。この場合、例えば、プランジャの基端が他の物に衝突し、斜め横方向からの力が作用すると、その力がガスケットに伝達されてガスケットが歪み、外筒内面との間に隙間ができて液漏れを生じるおそれがある。また、薬液が収納されていないディスポーザブルタイプのシリンジではプランジャー先端のヘッド部とガスケットに設けられた該ヘッド部と対応する形状の中空部とを凹凸嵌合させている。中空部をヘッド部に対し大きめな寸法にすることで両者を遊嵌状態とし、上述のような使用時における液漏れを防止することができる。しかし、この形状をプレフィルドシリンジに適用した場合、ガスケットとプランジャーの組み立て時における嵌合時のショックで薬液が漏出するおそれがある。また、プランジャの先端部に形成された、突起に螺合しうる螺合部と螺合部の先端側に形成された空間を有するガスケットと、プランジャの突部がガスケットの空間に進入した時、突部が遊かん状態で係合するプレフィルドシリンジがある。（特許文献１参照）しかし、この場合柔らかい材質のガスケットに空間を設け、硬い材質のプランジャと遊かん状態で係合するため、プランジャを引くときにガスケットが外れる恐れがある。
【０００３】
【特許文献１】特開２００２−２７２８４３
【発明の開示】
【発明が解決しようとする課題】
【０００４】
本発明の目的は、プランジャに軸方向と異なる方向の力が作用した場合でも、ガスケットによる気密性、液密性を確保し得るとともに、プランジャとガスケットが外れにくく、組み立てが容易なシリンジ、また、上記効果を有し、組み立て時に液漏れのおそれがないプレフィルドシリンジを提供することにある。
【課題を解決するための手段】
【０００５】
このような目的は、下記（１）〜（４）の本発明により達成される。
（１）プランジャが２つの部品からなり、前記２部品の接合部には２部品のうちの１部品を回転させたとき、もう一方の部品も追随して回転する、回転追随機構が設けてあることを特徴とする、シリンジ。
（２）前記２部品の接合部には隙間があることを特徴とする、前記（１）に記載のシリンジ。
（３）前記２部品には一方の部品に凹部、もう一方の部品に凸部を有し、それらがかん合することが前記回転追随機構となることを特徴とする、前記（１）もしくは（２）に記載のシリンジ。
（４）前記外筒と前期ガスケットで囲まれる空間に、液体が収納されていることを特徴とする、前記（１）から（３）のいずれかに記載のシリンジ。
【発明の効果】
【０００６】
以上述べたように、本発明のシリンジによれば、シリンジを落とすなどしてプランジャに軸方向以外の力が加わったとしても、プランジャが２パーツから成るため、プランジャ間の隙間によって軸方向以外の力を吸収し、力がガスケットとシリンジ外筒によって形成される空間まで伝達しない。
また、一方のプランジャが回転したときに他方のプランジャも追随して回転するため、プランジャをガスケットにかん合させることができる。
さらに、ガスケットとプランジャの間に空洞がないため、プランジャを押し込んでもガスケットが径方向に拡がり、プランジャの摺動抵抗があがってしまうということがない。
また、プランジャとガスケットの間に隙間がなく、その分ガスケット内のネジ部が長いため、プランジャを引くなどの動作をしても不用意に外れることがない。
【発明を実施するための最良の形態】
【０００７】
以下、本発明のシリンジを図面に基づいて詳細に説明する。
本実施形態のシリンジ１は、いわゆるプレフィルドシリンジと呼ばれるもので、外筒（シリンジ外筒）２と、外筒２内で摺動し得るガスケット３と、ガスケット３を移動操作するプランジャ（押し子）４とを備えている。ガスケット３とプランジャ４とは、後述する連結機構により連結（結合）されている。
【０００８】
[外筒]
外筒２は、有底筒状の部材で構成され、底部２１の中央部には、外筒２の胴部に対し縮径した縮径部２２が一体的に形成されている。この縮径部２２には、例えば、針管のハブ（図示せず）、コネクタ類等が嵌合、装着されて使用される。
縮径部２２の先端には、封止部材として、フィルム２４が貼着され、縮径部２２の内腔２３を気密的に封止している。
なお、縮径部２２の封止方法は、フィルム２４を用いたものに限らず、例えば、弾性栓やキャップ等（図示せず）により封止してもよい。
また、外筒２の基端外周には、板状のフランジ２５が一体的に形成されている。プランジャ４を外筒２に対し相対的に移動操作する際などには、このフランジ２５に指を掛けて操作を行うことができる。
外筒２および後述するプランジャ４のそれぞれの構成材料としては、例えば、ポリ塩化ビニル、ポリエチレン、ポリプロピレン、ポリスチレン、ポリ−（４−メチルペンテン−１）、ポリカーボネート、アクリル樹脂、アクリルニトリル−ブタジエン−スチレン共重合体、ポリエチレンテレフタレート等のポリエステル、ブタジエン−スチレン共重合体、ポリアミド（例えば、ナイロン６、ナイロン６・６、ナイロン６・１０、ナイロン１２）のような各種樹脂が挙げられるが、その中でも、成形が容易であるという点で、ポリプロピレン、ポリエステル、ポリ−（４−メチルペンテン−１）のような樹脂が好ましい。
なお、外筒２の構成材料は、内部の視認性を確保するために、実質的に透明であるのが好ましい。
外筒２の外周面には、目盛り（図示せず）が形成されている。これにより、シリンジ１内の液体７の液量を把握することができる。
【０００９】
[液体]
本実施形態のシリンジ１では、外筒２とガスケット３とで囲まれる空間内に、予め液体７が液密に収納されている。
液体７としては、例えば、ブドウ糖等の糖質注射液、塩化ナトリウムや乳酸カリウム等の電解質補正用注射液、ビタミン剤、ワクチン、抗生物質注射液、造影剤、ステロイド剤、蛋白質分解酵素阻害剤、脂肪乳剤、抗癌剤、麻酔薬、覚せい剤、麻薬のような各種薬液、あるいは、蒸留水、消毒薬、流動食、アルコール等が挙げられる。
【００１０】
[ガスケット]
外筒２内には、弾性材料で構成されたガスケット３が収納されている。ガスケット３は、中空部３１及び中空部内に雌ネジ部３２を有し、後述するプランジャ４の操作により、外筒２内で、外筒２の長手方向に摺動することができる。
ガスケット３の構成材料としては、特に限定されないが、例えば、天然ゴム、ブチルゴム、イソプレンゴム、ブタジエンゴム、スチレン−ブタジエンゴム、シリコーンゴムのような各種ゴム材料や、ポリウレタン系、ポリエステル系、ポリアミド系、オレフィン系、スチレン系等の各種熱可塑性エラストマー、あるいはそれらの混合物等の弾性材料が挙げられる。
なお、ガスケット３は、その少なくとも外周部が前述のような弾性材料で構成されていれば良く、例えば、樹脂材料で構成された芯部（図示せず）を有し、この芯部の外周を覆うように弾性材料が配置された構成のものでも良い。この場合には、芯部に、後述するネジ山が形成されることとなる。
【００１１】
[プランジャ]
プランジャ４は、主に、横断面が十文字状の板片で構成され、２つの部材が結合することで形成されている。また、プランジャ４の基端には、板状のフランジ４２１が一体的に形成されている。このフランジ４２１を指等で押圧することによりプランジャ４を操作する。さらに、プランジャ４の先端は雄ネジ部が形成されている。
なお、本発明では、螺合部及びネジ山の形状、配置、本数、寸法等は、特に限定されない。
本発明は、これらの部品を組み合わせて成る、シリンジもしくはプレフィルドシリンジである。
以下にシリンジもしくはプレフィルドシリンジの組み合わせ方を図で示しながら説明する。
【００１２】
図１は、本実施形態の分解図である。この状態から、作業者はまずプランジャ４を構成する、プランジャ上４１、プランジャ下４２をかん合させる。このとき、プランジャ下４２に設けた凸部４２２をプランジャ上４１に設けた凹部４１２に挿入し、奥まで挿入し終えたらプランジャ下４２に設けた凸部４２２がプランジャ上４１に設けた凹部４１２の端部に位置するまでプランジャ下４２を回転させる。ここで、プランジャ上４１とプランジャ下４２の係合部に隙間を持たせ、遊かん状態で係合させている。（図２、３参照）
このように、プランジャ４がガスケット３に対し遊嵌状態で連結されているため、プランジャ４に作用した力がガスケット３に直接伝達されることが防止され、それによるガスケット３の変形を防止することができる。そのため、予め液体を収納したシリンジ（プレフィルドシリンジ）に適用した場合には、ガスケット３の変形による液漏れを防止することができる。
【００１３】
図４は、上記のようにプランジャ上４１と下４２を係合させた状態を示す図である。この状態からプランジャ上４１に設けた雄ネジ部に、ガスケット内部に設けた雌ネジ部を回転させながら係合させる。
このとき、プランジャ上４１とガスケット３の間に隙間はほとんどないため、プランジャ４を外筒２に押し込んだ後引張ったとしても、ガスケット３がプランジャ４から外れる恐れはほとんどない。
その後プランジャ４とガスケット３を係合させ、ガスケット３を係合させたプランジャ４を外筒２に押し込む。
【００１４】
図５は、上記のようにガスケット３を係合させたプランジャ４を外筒２に押し込んだ状態を示す図である。この状態から、分注機（図示せず）を用いて液体をシリンジ内に注入し、フィルム２４によりシールすることで組立完了とする。
【図面の簡単な説明】
【００１５】
【図１】本発明のシリンジの分解状態を示す図である。
【図２】本発明のシリンジにおいて、プランジャ上と下の詳細を示した図である。
【図３】本発明のシリンジにおいて、プランジャ上とプランジャ下を係合させた状態を示す図である。
【図４】本発明のシリンジにおいて、プランジャ上とプランジャ下を係合させた状態を示す図である。
【図５】本発明のシリンジにおいて、プランジャとガスケットを係合させたものを外筒に押し込んだ図である。
【符号の説明】
【００１６】
１        シリンジ
２        外筒
２１      底部
２２      縮径部
２３      内腔
２４      フィルム
２５      フランジ
３        ガスケット
３１      中空部
３２      雌ネジ部
４        プランジャ
４１      プランジャ上
４１１    雄ネジ部
４２      プランジャ下
４２１    フランジ
【図１】
2007044159.tif 000003
【図２】
2007044159.tif 000004
【図３】
2007044159.tif 000005
【図４】
2007044159.tif 000006
【図５】
2007044159.tif 000007